(57)【要約】【課題】複数のコイルスプリングをシート状に並べたコイルスプリングシートや、そのコイルスプリングシートを上下に重ねたマットレスにおいて、部分的にクッション性を異ならせること。【解決手段】本発明では、前後方向及び左右方向に複数のコイルスプリング（５，８）を並べたコイルスプリングシート（３，４）において、部分的にコイルスプリング（５，８）の高さを異ならせることにした。また、本発明では、前後方向及び左右方向に複数のコイルスプリング（５，８）を並べたコイルスプリングシート（３，４）を上下方向に複数重ねたマットレス（１）において、部分的にコイルスプリング（５，８）の高さを異ならせたコイルスプリングシート（３，４）を上下に重ねて全体の高さを一定とすることにした。【選択図】図２
2018175609.tif 000002
【特許請求の範囲】
【請求項１】
前後方向及び左右方向に複数のコイルスプリングを並べたコイルスプリングシートにおいて、
部分的にコイルスプリングの高さを異ならせたことを特徴とするコイルスプリングシート。
【請求項２】
前後方向及び左右方向に複数のコイルスプリングを並べたコイルスプリングシートを上下方向に複数重ねたマットレスにおいて、
部分的にコイルスプリングの高さを異ならせたコイルスプリングシートを上下に重ねて全体の高さを一定としたことを特徴とするマットレス。
【請求項３】
下層側のコイルスプリングのうち外側端部（前後端部又は左右端部）に位置するコイルスプリングの高さをそれよりも内側のコイルスプリングよりも高くするとともに、その直上層側のコイルスプリングのうち外側端部（前後端部又は左右端部）に位置するコイルスプリングの高さをそれよりも内側のコイルスプリングよりも低くしたことを特徴とする請求項２に記載のマットレス。
【発明の詳細な説明】
【技術分野】
【０００１】
本発明は、複数のコイルスプリングをシート状に並べたコイルスプリングシート、及び、そのコイルスプリングシートを上下に重ねたマットレスに関するものである。
【背景技術】
【０００２】
従来より、マットレスの内部のクッション材として、前後方向及び左右方向に複数のコイルスプリング（たとえば、ポケットコイル）を並べてシート状に形成したコイルスプリングシートが用いられている（たとえば、特許文献１参照。）。
【０００３】
従来のコイルスプリングシートでは、同一のコイルスプリングを前後方向及び左右方向に並べた構成となっている。
【０００４】
そして、従来のマットレスでは、上記コイルスプリングシートを上下に積層して矩形箱型袋状の外装材の内部に収容した構成となっている。
【先行技術文献】
【特許文献】
【０００５】
【特許文献１】特開２０１５−２１３６５７号公報
【発明の概要】
【発明が解決しようとする課題】
【０００６】
上記従来のコイルスプリングシートでは、前後方向及び左右方向に並べた全てのコイルスプリングが同一であるために、シート全面において均一のクッション性が得られるものであった。
【０００７】
そこで、コイルスプリングシートにおいて、部分的にクッション性を異ならせるべく改良を施すことを課題として本発明を成すに至った。
【課題を解決するための手段】
【０００８】
請求項１に係る本発明では、前後方向及び左右方向に複数のコイルスプリングを並べたコイルスプリングシートにおいて、部分的にコイルスプリングの高さを異ならせることにした。
【０００９】
また、請求項２に係る本発明では、前後方向及び左右方向に複数のコイルスプリングを並べたコイルスプリングシートを上下方向に複数重ねたマットレスにおいて、部分的にコイルスプリングの高さを異ならせたコイルスプリングシートを上下に重ねて全体の高さを一定とすることにした。
【００１０】
また、請求項３に係る本発明では、前記請求項２に係る本発明において、下層側のコイルスプリングのうち外側端部（前後端部又は左右端部）に位置するコイルスプリングの高さをそれよりも内側のコイルスプリングよりも高くするとともに、その直上層側のコイルスプリングのうち外側端部（前後端部又は左右端部）に位置するコイルスプリングの高さをそれよりも内側のコイルスプリングよりも低くすることにした。
【発明の効果】
【００１１】
そして、本発明では、以下に記載する効果を奏する。
【００１２】
すなわち、本発明では、前後方向及び左右方向に複数のコイルスプリングを並べたコイルスプリングシートにおいて、部分的にコイルスプリングの高さを異ならせることにしているために、コイルスプリングシートのクッション性を部分的に変化させることができる。
【００１３】
また、本発明では、前後方向及び左右方向に複数のコイルスプリングを並べたコイルスプリングシートを上下方向に複数重ねたマットレスにおいて、部分的にコイルスプリングの高さを異ならせたコイルスプリングシートを上下に重ねて全体の高さを一定とすることにしているために、マットレスのクッション性を部分的に変化させることができる。
【００１４】
特に、下層側のコイルスプリングのうち外側端部（前後端部又は左右端部）に位置するコイルスプリングの高さをそれよりも内側のコイルスプリングよりも高くするとともに、その直上層側のコイルスプリングのうち外側端部（前後端部又は左右端部）に位置するコイルスプリングの高さをそれよりも内側のコイルスプリングよりも低くすることにした場合には、上層側のコイルスプリングシートが下層側のコイルスプリングシートからずれてしまうのを防止することができる。
【図面の簡単な説明】
【００１５】
【図１】本発明に係るマットレスを示す正面図。
【図２】同側面断面図。
【図３】本発明に係るコイルスプリングシートを示す斜視図。
【発明を実施するための形態】
【００１６】
以下に本発明に係るコイルスプリングシート及びそれを用いたマットレスの具体的な構成について図面を参照しながら説明する。
【００１７】
図１及び図２に示すように、マットレス１は、矩形箱型袋状の外装材２の内部に２枚のコイルスプリングシート3,4を上下に重ねて収容している。なお、ここでは、２枚のコイルスプリングシート3,4を上下に積層しているが、これに限られず、３枚以上のコイルスプリングシートを上下に積層したものであってもよい。また、以下の説明では、便宜的にマットレス１において横臥者の頭部側を前側とするとともに足部側を後側とし、横臥者の身長方向となる長手方向を前後方向とし、それと直交する短手方向を左右方向とする。
【００１８】
下層側のコイルスプリングシート４は、図３に示すように、前後方向及び左右方向に複数のコイルスプリング５を並べて形成している。各コイルスプリング５は、収容袋６の内部に収容されており、ポケットコイル７を構成している。
【００１９】
この下層側のコイルスプリングシート４は、前後方向に並ぶ複数のコイルスプリング５の高さを同一ではなく部分的に異ならせている。一方、コイルスプリングシート４は、左右方向に並ぶ複数のコイルスプリング５の高さを同一としている。これにより、コイルスプリングシート４は、全体的に見ると前後方向においてコイルスプリング５の高さが部分的に異なるようにしている。
【００２０】
上層側のコイルスプリングシート３は、下層側のコイルスプリングシート４と同様に、前後方向及び左右方向に複数のコイルスプリング８を並べて形成している。各コイルスプリング８は、収容袋９の内部に収容されており、ポケットコイル10を構成している。
【００２１】
この上層側のコイルスプリングシート３は、下層側のコイルスプリングシート４と同様に、前後方向に並ぶ複数のコイルスプリング８の高さを同一ではなく部分的に異ならせているが、下層側のコイルスプリングシート４とは真逆に下層側のコイルスプリングシート４において高さが高いコイルスプリング５に対向する上層側のコイルスプリング８の高さを低くして、下層側のコイルスプリング５の真上に上層側のコイルスプリング８を積層した状態では全て同一の高さとなるようにしている。一方、コイルスプリングシート３は、左右方向に並ぶ複数のコイルスプリング８の高さを同一としている。これにより、コイルスプリングシート３も、全体的に見ると前後方向においてコイルスプリング８の高さが部分的に異なるようにしている。
【００２２】
このように、下層側のコイルスプリングシート４を構成するコイルスプリング５の高さを部分的に異ならせるとともに、上層側のコイルスプリングシート３を構成するコイルスプリング８の高さを下層側とは真逆に異ならせることで、コイルスプリングシート3,4を積層した状態では前後方向及び左右方向に同一の高さとなるようにし、マットレス１として見ると前後方向及び左右方向に同一の高さとなっている。
【００２３】
以上に説明したように、上記コイルスプリングシート3,4は、前後方向及び左右方向に複数のコイルスプリング5,8を並べて形成しており、部分的にコイルスプリング5,8の高さを異ならせた構成となっている。
【００２４】
そのため、上記構成のコイルスプリングシート3,4では、クッション性を部分的に変化させることができ、コイルスプリングシート3,4の使用場所や使用態様などに適合させることができるので、コイルスプリングシート3,4のクッション材としての使い勝手を向上させることができる。
【００２５】
なお、コイルスプリングシート3,4は、構成するコイルスプリング5,8の高さが部分的に異なっていればよく、前後方向だけ又は左右方向だけに異ならせてもよく、前後方向及び左右方向に異ならせてもよい。また、コイルスプリングシート3,4は、複数のコイルスプリング5,8が前後方向及び左右方向に並べられていればよく、下層側のコイルスプリング５又は上層側のコイルスプリング８をそれぞれ前後又は／及び左右に連結（溶接）したものでもよく、下層側のコイルスプリング５又は上層側のコイルスプリング８をそれぞれ袋に収容したものでもよく、全てのコイルスプリング5,8を袋に収容したものでもよく、ポケットコイル7,10を構成して収容袋6,9同士を前後又は／及び左右に連結（接着）したものでもよい。さらに、コイルスプリングシート3,4を構成するコイルスプリング5,8は、部分的に高さが異なっていればよく、コイル径や線径や材質などは同一であっても異なっていてもよく、下層側のコイルスプリング５とそれに対向する上層側のコイルスプリング８とのコイル径や線径や材質などは同一であっても異なっていてもよい。
【００２６】
また、上記マットレス１は、前後方向及び左右方向に複数のコイルスプリング5,8を並べたコイルスプリングシート3,4を上下方向に複数重ねており、部分的にコイルスプリング5,8の高さを異ならせたコイルスプリングシート3,4を上下に重ねて全体の高さを一定とした構成となっている。
【００２７】
そのため、上記構成のマットレス１では、クッション性を部分的に変化させることができ、横臥者の体型や嗜好に適合させることができるので、マットレス１の寝心地を向上させることができる。
【００２８】
なお、予め横臥者がマットレスに与える荷重分布を計測し、その荷重分布に対応させてコイルスプリングシート3,4のコイルスプリング5,8を配置することで、横臥者に最も適したマットレス１を提供することも可能となる。
【００２９】
マットレス１の場合には、下層側のコイルスプリングシート４のコイルスプリング５を上層側のコイルスプリングシート３のコイルスプリング８よりも硬いものを用いた方が、寝心地を向上させることができるとともに全体的な安定感を向上させることができる。
【００３０】
また、マットレス１の場合には、図２に示すように下層側のコイルスプリングシート４を構成するコイルスプリング５のうち外側端部（前後端部又は左右端部）に位置するコイルスプリング5'の高さをそれよりも内側のコイルスプリング5"よりも高くするとともに、その直上層側のコイルスプリングシート３を構成するコイルスプリング８のうち外側端部（前後端部又は左右端部）に位置するコイルスプリング8'の高さをそれよりも内側のコイルスプリング8"よりも低くすると、上層側のコイルスプリングシート３が下層側のコイルスプリングシート４からずれてしまうのを防止することができ、これによっても寝心地を向上させることができる。
【符号の説明】
【００３１】
１  マットレス
２  外装材
3,4  コイルスプリングシート
5,8  コイルスプリング
6,9  収容袋
7,10  ポケットコイル
【図１】
2018175609.tif 000003
【図２】
2018175609.tif 000004
【図３】
2018175609.tif 000005
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
前後方向及び左右方向に複数のコイルスプリングを並べたコイルスプリングシートを上下方向に複数重ねたマットレスにおいて、
上層側と下層側とで真逆に部分的にコイルスプリングの高さを異ならせたコイルスプリングシートを上下に重ねて全体の高さを一定としたことを特徴とするマットレス。
【請求項２】
下層側のコイルスプリングのうち外側端部（前後端部又は左右端部）に位置するコイルスプリングの高さをそれよりも内側のコイルスプリングよりも高くするとともに、その直上層側のコイルスプリングのうち外側端部（前後端部又は左右端部）に位置するコイルスプリングの高さをそれよりも内側のコイルスプリングよりも低くしたことを特徴とする請求項１に記載のマットレス。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項１に係る本発明では、前後方向及び左右方向に複数のコイルスプリングを並べたコイルスプリングシートを上下方向に複数重ねたマットレスにおいて、上層側と下層側とで真逆に部分的にコイルスプリングの高さを異ならせたコイルスプリングシートを上下に重ねて全体の高さを一定とすることにした。
【手続補正５】
【補正対象書類名】明細書
【補正対象項目名】００１０
【補正方法】変更
【補正の内容】
【００１０】
また、請求項２に係る本発明では、前記請求項１に係る本発明において、下層側のコイルスプリングのうち外側端部（前後端部又は左右端部）に位置するコイルスプリングの高さをそれよりも内側のコイルスプリングよりも高くするとともに、その直上層側のコイルスプリングのうち外側端部（前後端部又は左右端部）に位置するコイルスプリングの高さをそれよりも内側のコイルスプリングよりも低くすることにした。